(57)【要約】【課題】  ヒートパイプを一部だけ用いた簡易な構造で、冷却性能も良いエレベーター制御部の放熱装置を得ること。【解決手段】  交流電源を直流電源に変換するコンバータ５と、直流電源を可変電圧の可変周波数に変換すると共に、モータ１１を駆動するインバータ９と、コンバータ５、インバータ１１から発生した熱を放散させるエレベーター制御部の放熱装置５０において、コンバータ５、インバータ１１を固定すると共に、熱放散させる熱伝導部材５１と、インバータ１１が固定されている直下の熱伝導部材５１の内部に貫通孔５１ｅが設けられると共に、該貫通孔５１ｅに係合され、熱伝導部材５１から突き出した突出部５２ａを有するヒートパイプ５２と、ヒートパイプ５２の突出部５２ａに設けられた第１フィン５４とを備え、熱伝導部材５１は、コンバータ５が固定された反対側に側面視で櫛形状の第２フィン５１ｆを有する。【選択図】      図２
2007197094.tif 000002
【特許請求の範囲】
【請求項１】
交流電源を直流電源に変換する直流電源変換手段と、
前記直流電源を可変電圧の可変周波数に変換すると共に、モータを駆動する交流電源変換手段と、前記直流電源変換手段、前記交流電源変換手段から発生した熱を放散させるエレベータ制御部の放熱装置において、
前記直流電源変換手段、前記交流電源変換手段を固定すると共に、熱放散させる熱伝導部材と、
前記交流電源変換手段が固定されている直下の熱伝導部材の内部に貫通孔が設けられると共に、該貫通孔に係合され、前記熱伝導部材から突き出した突出部を有するヒートパイプと、
前記ヒートパイプの突出部に設けられた第１フィンとを備え、
前記熱伝導部材は、前記直流電源変換手段が固定された反対側に側面視で櫛形状の第２フィンを有する、
ことを特徴とするエレベーター制御部の放熱装置。
【請求項２】
前記熱伝導部材は、前記ヒートパイプを係合する溝を有する第１熱伝導部材と、該溝を塞ぐと共に、前記ヒートパイプを押さえる第２熱伝導部材とから成る、
ことを特徴とする請求項１に記載のエレベーター制御部の放熱装置。
【請求項３】
前記ヒートパイプの突出部、前記第１フィンを囲うと共に、前記第１フィンに第１気流を流す第１風洞と、
前記第２フィンを囲うと共に、前記第２フィンに第２気流を流す第２風洞と、
前記第１気流を発生させる第１ファンと、
前記第２気流を発生させる第２ファンと、
を備えたことを特徴とする請求項１又は２に記載のエレべーター制御部の放熱装置。
【発明の詳細な説明】
【技術分野】
【０００１】
本発明は、エレベーター制御部の放熱装置の改良に関するものである。
【背景技術】
【０００２】
エレベーター制御部の放熱装置は、例えば下記特許文献の図1及び図２に記載されるように、ヒートパイプ式半導体冷却器の取付け用ブロックに交流電源３から交流電圧を直流電圧に変換するコンバータと、直流電圧を可変電圧・可変周波数のインバータを固定している。ここで、取付け用ブロックはアルミニウム等で、該ブロックの内外表面にニッケルメッキ層を設けている。
かかる制御部の放熱装置によれば、ブロックがアルミニウム製であるため冷却器の重量を著しく軽量化すると共に、ヒートパイプとブロックとのハンダ付け性を向上し、さらに半導体取付け面の電食の発生を阻止し、接触電気特性を向上できるものである。
【特許文献１】特開平５−１３６３０号公報
【発明の開示】
【発明が解決しようとする課題】
【０００３】
しかし、エレベーター制御部の放熱装置では、発熱が比較的少ないコンバータ、スイッチング損失が生じること等から発熱が比較的大きくなるインバータとを同一のヒートパイプを有する放熱装置によって冷却していた。このため、装置が大型、複雑化するという課題があった。
【０００４】
本発明は上記課題を解消するためになされたもので、ヒートパイプを一部だけ用いた簡易な構造で、冷却性能も良いエレベーター制御部の放熱装置を提供することを目的とする。
【課題を解決するための手段】
【０００５】
第１の発明に係るエレベーター制御部の放熱装置は、交流電源を直流電源に変換する直流電源変換手段と、前記直流電源を可変電圧の可変周波数に変換すると共に、モータを駆動する交流電源変換手段と、前記直流電源変換手段、前記交流電源変換手段から発生した熱を放散させるエレベーター制御部の放熱装置において、前記直流電源変換手段、前記交流電源変換手段を固定すると共に、熱放散させる熱伝導部材と、前記交流電源変換手段が固定されている直下の熱伝導部材の内部に貫通孔が設けられると共に、該貫通孔に係合され、前記熱伝導部材から突き出した突出部を有するヒートパイプと、前記ヒートパイプの突出部に設けられた第１フィンとを備え、前記熱伝導部材は、前記直流電源変換手段が固定された反対側に側面視で櫛形状の第２フィンを有する、ことを特徴とするものである。
【０００６】
第２の発明に係るエレベーター制御部の放熱装置における熱伝導部材は、ヒートパイプを係合する溝を有する第１熱伝導部材と、該溝を塞ぐと共に、ヒートパイプを押さえる第２熱伝導部材とから成る、ことを特徴とするものである。
【０００７】
第３の発明に係るエレベーター制御部の放熱装置は、ヒートパイプの突出部、第１フィンを囲うと共に、第１フィンに第１気流を流す第１風洞と、第２フィンを囲うと共に、前記第２フィンに第２気流を流す第２風洞と、前記第１気流を発生させる第１ファンと、前記第２気流を発生させる第２ファンと、を備えたことを特徴とするものである。
【発明の効果】
【０００８】
第１の発明によれば、コンバータの放熱は主として第２フィンでなされ、インバータの放熱は熱伝導部材を介してヒートパイプ、第１フィンによりなされる。したがって、ヒートパイプを一部だけ用いた簡易な構造で、冷却性能も良いエレベーター制御部の放熱装置を得ることができるという効果がある。
【０００９】
第２の発明によれば、第１及び第２熱伝導部材が貫通孔の加工がないため、簡易に第１及び第２熱伝導部材を製作できるという効果がある。
【００１０】
第３の発明によれば、第１及び第２ファンにより直流電源変換手段、交流電源変換手段を起用性的に冷却できるという効果がある。
【発明を実施するための最良の形態】
【００１１】
実施の形態１．
本発明の一実施の形態を図１及び図２によって説明する。図１は本発明の一実施の形態を示すエレベーターの全体図、図２は図１に示すエレベーター制御部の放熱装置の側面図(ａ)、平面図(ｂ)、正面図(ｃ)である。
図１において、エレベーターは、図１に示すように交流電源３から交流電圧を直流電圧に変換する直流電源変換手段としてのコンバータ５と、コンバータ５の脈流電圧を平滑化するコンデンサ７と、直流電圧を可変電圧・可変周波数の交流電源変換手段としてのインバータ９と、インバータ９によりシーブ１３を回転させるモータ１１とを備えており、シーブ１３にロープ１７を掛けて、ロープ１７の一端にかご室１５を固定し、ロープ１７の他端に釣合錘１９が固定されている。
【００１２】
図２において、エレベーター制御部の放熱装置５０は、コンバータ５、インバータ７を固定すると共に、熱放散させる略直方体の熱伝導部材５１と、インバータ７が固定されている直下の熱伝導部材５１の内部に複数の円柱状の貫通孔５１ｅが設けられると共に、該貫通孔５1ｅに係合され、熱伝導部材５１から長尺状に突き出した突出部５２ａを有するヒートパイプ５２と、ヒートパイプ５２の突出部５２ａに設けられた第１フィン５４とを備え、熱伝導部材５２は、コンバータ５が固定された反対側に側面視で櫛形状の第２フィン５１ｆを有する。
【００１３】
エレベーター制御部の放熱装置の熱放散に係る作用を図１及び図２によって説明する。指令信号によりインバータ９がスイッチング動作をしてモータ１１に可変周波数の可変電圧を印加してシーブ１３を駆動すると、ロープ１７を介してかご室１５が上下動する。
これに伴って、コンバータ５が発熱し、インバータ９もコンバータ５よりも発熱する。コンバータ５の発熱は、第２フィン５１ｆを介して空気中に放散し、インバータ９の発熱は、第１フィン５４を介してヒートパイプ５２に熱伝導し、ヒートパイプ５２から第１フィン５４を介して空気中に放散する。
【００１４】
上記のように、エレベーター制御部の放熱装置５０は、交流電源を直流電源に変換するコンバータ５と、直流電源を可変電圧の可変周波数に変換すると共に、モータ１１を駆動するインバータ９と、コンバータ５、インバータ１１から発生した熱を放散させるエレベーター制御部の放熱装置５０において、コンバータ５、インバータ１１を固定すると共に、熱放散させる熱伝導部材５１と、インバータ１１が固定されている直下の熱伝導部材５１の内部に貫通孔５１ｅが設けられると共に、該貫通孔５１ｅに係合され、熱伝導部材５１から突き出した突出部５２ａを有するヒートパイプ５２と、ヒートパイプ５２の突出部５２ａに設けられた第１フィン５４とを備え、熱伝導部材５１は、コンバータ５が固定された反対側に側面視で櫛形状の第２フィン５１ｆを有する。
これにより、コンバータ５の放熱は主として第２フィン５１ｆでなされ、インバータ９の放熱は熱伝導部材５１を介してヒートパイプ５２、第１フィン５４によりなされる。したがって、ヒートパイプ５２を一部だけ用いた簡易な構造で、冷却性能も良いエレベーター制御部の放熱装置を得ることができる。
【００１５】
実施の形態２．
本発明の他の実施の形態を図３によって説明する。図３はエレベーター制御部の放熱装置を示す正面図(ａ)、分解斜視図(ｂ)である。
実施の形態１では、放熱装置５０は熱伝導部材５１の貫通孔５１ｅを設けていたが、本実施の形態による放熱装置１５０では、図３に示すように、熱伝導部は、ネジ孔１５１ｙを設けると共に、Ｕ形状の溝１５１ｕを複数設けた第１熱伝導部材１５１と、該溝１５１ｕにヒートパイプ５２を載せて、該ヒートパイプ５２を押さえると共に、孔１６０ｙを貫通させる板状の第２熱伝導部材１６０とを備え、ワッシャ１７１を介してネジ１７０を第２熱伝導部材１６０の孔１６０ｙに貫通し、第１熱伝導部材１５１のネジ孔１５１ｙに螺合させている。
【００１６】
本実施の形態によるエレベーター制御部の放熱装置１５０によれば、実施の形態１の作用、効果を奏しつつ、貫通孔の加工がないため熱伝導部材１５１の加工が容易になる。
【００１７】
実施の形態３．
本発明の他の実施の形態を図４及び図５によって説明する。図４は他の実施の形態によるエレベーター制御部の放熱装置を示す正面図(ａ)、平面図(ｂ)、図５は図４の矢視Ｖａを示す断面図(ａ)、図４の矢視Ｖｂを示す断面図(ｂ)である。
実施の形態１，２によるエレベーター制御部の放熱装置は、自然冷却であるが、本実施の形態では、実施形態１のエレベーター制御部の放熱装置を強制冷却したものである。
【００１８】
図４及び図５において、エレベーター制御部の放熱装置は、ヒートパイプ５２の突出部５２ａ、第１フィン５４を囲うと共に、第１フィン５４に第１気流を流す略四角柱状の第１風洞２１１と、第２フィン５１ｆを囲うと共に、第２フィン５１ｆに第２気流を流す略四角柱状の第２風洞２２３と、第１気流を発生させる第１ファン２０１と、第２気流を発生させる第２ファン２０３とを備えている。
【００１９】
エレベーター制御部の放熱装置２５０によれば、図４及び図５において、コンバータ５が発熱しており、モータ１１の駆動によりインバータ９もコンバータ５よりも発熱する。インバータ９の発熱は、第１フィン５１を介してヒートパイプ５２に熱伝導し、ヒートパイプ５２から第２フィン５４に熱伝導する。これを第１ファン２０１から発生した第１気流により冷却する。コンバータ５の発熱は、第フィン５１ｆに伝導する。これを第２ファン２０３から発生した第２気流により冷却する。
本実施の形態によるエレベーター制御部の放熱装置２５０によれば、実施の形態１の作用、効果を奏しつつ、コンバータ５、インバータ９の冷却効果を増大せることができる。
【産業上の利用可能性】
【００２０】
本発明は、エレベーター制御部の放熱装置に適用できる。
【図面の簡単な説明】
【００２１】
【図１】本発明の一実施の形態を示すエレベーターの全体図である。
【図２】図１に示すエレベーター制御部の放熱装置の側面図(ａ)、平面図(ｂ)、正面図(ｃ)である。
【図３】本発明の他の実施の形態によるエレベーター制御部の放熱装置を示す正面図(ａ)、分解斜視図(ｂ)である。
【図４】本発明の他の実施の形態によるエレベーター制御部の放熱装置を示す正面図(ａ)、平面図(ｂ)である。
【図５】図４の矢視Ｖａを示す断面図(ａ)、図４の矢視Ｖｂを示す断面図(ｂ)である。
【符号の説明】
【００２２】
３  交流電源、５  コンバータ、９  インバータ、１１  モータ、５０，１５０，２５０  放熱装置。５１，１５１  熱伝導部材、５１ｅ 貫通孔、５２  ヒートパイプ、５１ｆ  第２フィン、５４  第１フィン。
【図１】
2007197094.tif 000003
【図２】
2007197094.tif 000004
【図３】
2007197094.tif 000005
【図４】
2007197094.tif 000006
【図５】
2007197094.tif 000007